(57)【要約】      （修正有）【課題】ゴミ収集時にはゴミ箱として使え収集後には簡単に折りたため、しかも、狭い場所にも設置可能な屋外型のゴミ箱を提供する。【解決手段】金属パイプからなる骨格部を有する底のない長方体のゴミ箱であって、Ｓ字又はメガネ型に加工した金具によりゴミ箱の前面上部とフタとを２か所繋ぐことでフタ全体が上下に９０度回転してゴミ箱前面に折り重ねられるようにし、また、ゴミ箱の側面には折りためる網が取り付けられている。【選択図】図３
0003179084.tif 000002
【実用新案登録請求の範囲】
【請求項１】
底のない長方形のゴミ箱。
【請求項２】
ゴミ箱のフタを回転させると、そのフタ全体がゴミ箱前面に重なる構造のゴミ箱。
【請求項３】
請求項２のフタが重なった状態で、後ろに押すとゴミ箱後面に密着して折りたためる構造のゴミ箱。
【考案の詳細な説明】
【技術分野】
【０００１】  本考案はごみ箱を必要に応じて折りたたんだり広げたりできるゴミ箱の改良技術。
【背景技術】
【０００２】  従来置かれている折りたたみ式ごみ箱はフタを後ろ上に開けるか、横に開けるかであり箱前面にフタ全体を開ける様になっていないためゴミ箱をおりたたんだ時の形状がコンパクトになりにくく美観も損なうことになっていた。
【考案の開示】
【考案が解決しようとする課題】
【０００３】  ゴミ収集時には広げゴミ収集後には折りたたむ事で狭い場所での設置が可能で美的環境を壊さないゴミ箱。
【考案が解決する手段】
【０００４】  長方形で底のない箱の後面を垂直に固定し、ゴミ箱のフタが箱の前面に被さるように下ろして両側面が内側に折れるような構造にして前面に重ねたフタとともに後ろに押すことで折りたため、使用する際は前面を引くと広がって中にゴミを入れて前面に重ねたフタをゴミ箱の上に被せて使える構造にする。使用に応じて広げたり閉じたりするためには女性でも簡単に取扱い出来るよう金属パイプを使用し箱の面にはナイロン製の防鳥網かアルミ等のパンチ孔板を取り付け軽量化する事とした。また、底のない箱であるため構造が簡略化できる。
【考案の効果】
【０００５】  本考案は住宅地の狭い道路にも設置でき、いらないときは折りたたむことで通行の妨げも緩和でき、ゴミ箱の底がないためゴミが散らかっても掃除がしやすく衛生的。折りたたんだゴミ箱のフタは前面に折り下げてフタのパネルは場所に合わせて美的パネルにすると美的環境が得られる。
【考案の適用範囲】
【０００６】  ゴミ箱を折りたたんだ時、ゴミ箱の厚さは１５セン以下であり場所をあまりとらないためイベント等では持ち運びもできる。また道路の端や公園の中でも違和感なく設置できる。屋外に長期に設置するときは箱後面の支柱を地面に埋設またはアンカーボルトで固定すれば安全に恒久的に使用できる。
【考案を実施するための形態】
【０００７】  図面の図１は本考案のいうゴミ箱で使用時にゴミ箱を広げた形状の斜視図で符号１は軽量パネルを付けたフタ。
【０００８】  図２はこの考案のごみ箱を折りたたんでいる途中の図で、符号１を前面に折りたたんでいる途中の図である。符号４の左右両方の側面はナイロン製の網を使用しているため自在に折り曲がるため、箱の前面を後ろに押すと折りたためる。
【０００９】  図３はゴミ箱を折りたたんだ状態の前面図で厚さは１５センチ以下になる。
符号１のふたはカラーパネルなどで使用すると美的である。符号７はゴミ箱前面の上部パイプとフタの外枠とをつなぐＳ字金具。符号８はフタが風などにより煽られることがないよう回転金具を押しバネの作用で止める構造である。符号９はパネルを止める金具。
【０００１０】  図４は後ろから見た図である。網やパネルを張っていない状態のパイプ骨格図。
【０００１１】  図５はゴミ箱前面の骨格斜視図でフタの動作を示した図。符号７はＳ字の金具で符号１１の部分をゴミ箱前面上部のパイプに固定をする。符号１０の部分にフタ外枠のパイプを通してフタが自由に回転させることができる。
【０００１２】  図６は図５の符号７の構造で分かり易くした拡大説明図で符号１１は動かぬように固定して符号１０の部分はフタの動作が出来るようパイプを通している図である。
【０００１３】  図７はゴミ箱側面を示した図で符号１はフタが下がっている状態、符号７がＳ字形をした金具である。符号１２はゴミ箱前面と後面をつなぐ金具で側面上部にだけ付けた図．この取り付け金具は側面上部にだけ付けることで側面が自在になるため折りたたむことが容易になる。符号１３は蝶板でこの側面が内側に折れるように取りつける。符号１４は側面に取り付けた網を内側に誘導するための部品、符号１５は符号１２の側面金具が下がらないための支柱に固定したリング部品。
【０００１４】  図８は側面に符号１６の網を張った図
【０００１５】  図９は側面の詳細な図で符号１７は、図１０の符号１７の部分でこの輪の大きさ加減が前面を後ろに押してたたむときに抵抗が少ないため、取り付けるゴミ箱設置場所の地面が少し位、水平でなくても設置可能にする事ができる。
【０００１６】  図１０の符号１８は側面部品の金属平板の上面図、符号１９は平板部品正面図である。これらの部品を組み合わせゴミ箱側面符号１２を作る。
【図面の簡単な説明】
【０００１９】
【図１】  ゴミ箱でゴミ箱を使用時の斜視図。
【０００１８】
【図２】  ゴミ箱を折りたたみ途中の斜視図
【０００１９】
【図３】  本考案のごみ箱が折りたたまれた状態の正面図。
【０００２０】
【図４】  ゴミ箱の後面からみたパイプの骨格図である。
【０００２１】
【図５】  フタの動作図
【０００２２】
【図６】  ゴミ箱前面とフタの取り付けＳ字金具の詳細図
【０００２３】
【図７】  ゴミ箱側面の骨格図
【０００２４】
【図８】  ゴミ箱側面に網を取り付けた図である。
【符号の説明】１、  ゴミ箱のフタ
２、  ゴミ箱の前面
３、  ゴミ箱の底の部分のＴ字形の金具
４、  ゴミ箱の側面
５、  ゴミ箱後面の支柱
６、  ゴミ箱の後面
７、  Ｓ字型金具
８、  フタを止める金具
９、  パネルを止める金具
１０、Ｓ字金具にフタの外枠パイプを通す穴部
１１、前面上部パイプにＳ字部を固定した
１２、前面と後面をつなぐ側面金具
１３、側面が内側に折れるための蝶板
１４、側面に張った網を内側に誘導する金具
１５、側面金具が下に落ちないためのリング
１６、側面に張られた網
１７、側面を前面と後面の支柱をつなぐパイプ穴
１８、側面部品金具の上面図
１９、側面部品の正面図
【図１】
0003179084.tif 000003
【図２】
0003179084.tif 000004
【図３】
0003179084.tif 000005
【図４】
0003179084.tif 000006
【図５】
0003179084.tif 000007
【図６】
0003179084.tif 000008
【図７】
0003179084.tif 000009
【図８】
0003179084.tif 000010
【図９】
0003179084.tif 000011
【図１０】
0003179084.tif 000012
【手続補正書】
【提出日】平成24年5月30日(2012.5.30)
【手続補正１】
【補正対象書類名】実用新案登録請求の範囲
【補正対象項目名】全文
【補正方法】変更
【補正の内容】
【実用新案登録請求の範囲】
【請求項１】
骨格部は金属パイプを使用し底のない長方立方形の箱にＳ字又はメガネ型に加工した金具の穴に箱前面上部のパイプを通す、その金具を前斜め上４５度に固定し、もう片方の穴には上面を以下フタと表記する、フタの外枠パイプを通してフタと前面上部を２か所繋なぐことでフタが上下に９０度回転させられる、フタ全体が前面に折り重ねられるその重なった状態で後ろに押すと側面は中ほどから内側に折れフタ、前面、側面が後面に密着して折りたためる構造のゴミ箱。
【手続補正２】
【補正対象書類名】明細書
【補正対象項目名】全文
【補正方法】変更
【補正の内容】
【考案の詳細な説明】
【技術分野】
【０００１】  本考案はごみ箱を必要に応じて折りたたんだり広げたりできるゴミ箱の改良技術。
【背景技術】
【０００２】  従来置かれている折りたたみ式ごみ箱はフタを後ろ上に開けるか、横に開けるかであり箱前面にフタ全体を開ける様になっていないためゴミ箱をおりたたんだ時の形状がコンパクトになりにくく美観も損なうことになっていた。
【考案の開示】
【考案が解決しようとする課題】
【０００３】  ゴミ収集時には広げゴミ収集後には折りたたむ事で狭い場所での設置が可能で美的環境を壊さないゴミ箱。
【考案が解決する手段】
【０００４】  長方立方形で底のない箱の後面を垂直に固定し、ゴミ箱のフタが箱の前面に被さる様に下ろして両側面が内側に折れる構造で前面に重ねたフタとともに後ろに押すことで折りたため、使用する際は前面を引くと広がって中にゴミを入れて前面に重ねたフタをゴミ箱の上に被せて使える構造にする。使用に応じて広げたり閉じたりするためには女性でも簡単に取扱い出来るよう金属パイプを使用し箱の面にはナイロン製の防鳥網かアルミ等のパンチ孔板を取り付け軽量化する事とした。また、底のない箱であるため構造が簡略化できる。
【考案の効果】
【０００５】  本考案は住宅地の狭い道路にも設置でき、いらないときは折りたたむことで通行の妨げも緩和でき、ゴミ箱の底がないためゴミが散らかっても掃除がしやすく衛生的。折りたたんだゴミ箱のフタは前面に折り下げてフタのパネルは場所に合わせて美的パネルにすると美的環境が得られる。
【考案の適用範囲】
【０００６】  ゴミ箱を折りたたんだ時、ゴミ箱の厚さは１５０ミリ以下であり場所をあまりとらないためイべント等では持ち運びもできる。また道路の端や公園の中でも違和感なく設置できる。屋外に長期に設置するときは箱後面の支柱を地面に埋設またはアンカーボルトで固定すれば安全に恒久的に使用できる。
【考案を実施するための形態】
【０００７】  図面の図１は本考案のいうゴミ箱で使用時にゴミ箱を広げた形状の斜視図で符号１は軽量パネルを付けたフタ。符号２は箱前面、符号３はゴミ箱支柱を支えるためＴ字になっている鉄板でありこれは前後の支柱に４つにありこれでゴミ箱が倒れないよう支える金具である。
【０００８】  図２はこの考案のごみ箱を折りたたんでいる途中の図で、符号１を前面に折りたたんでいる途中の図である。符号４の左右両方の側面はナイロン製の網を使用しているため自在に折り曲がるため、箱の前面を後ろに押すと折りたためる。
【０００９】  図３はゴミ箱を折りたたんだ状態の前面図で厚さは１５０ミリ以下になる。
符号１のふたはカラーパネルなどを使用すると美的である。符号７はゴミ箱前面の上部パイプとフタの外枠とをつなぐＳ字金具。符号８はフタが風などにより煽られることがないよう回転金具を押しバネの作用で止める構造である。
【０００１０】  図４は後ろから見た図である。網やパネルを張っていない状態のパイプ骨格図。
【０００１１】  図５はゴミ箱前面の骨格斜視図でフタの動作を示した図。符号７はＳ字の金具で符号１０の部分Ｓ字金具の穴に前面上部のパイプを通してそこを上斜め４５度に固定してもう一つの穴符号９にフタ外枠のパイプを通す事でフタを上下９０度に回転させることが出来るこれによりフタが箱前面に密着して折り重ねられる。
【０００１２】  図６は図５の符号７の構造で分かり易くした拡大説明図で符号１０部分を動かぬように上前斜め４５度の角度で固定している符号９の部分はフタの動作が出来るようパイプを通している図である。
【０００１３】  図７はゴミ箱側面を示した図で符号１はフタが下がっている状態、符号７がＳ字形をした金具である。符号１１はゴミ箱前面と後面をつなぐ側面全体の金具で側面上部にだけ付けた図．この取り付け金具は側面上部にだけ付けることで側面が内側に折りたたむことが容易になる。符号１２は蝶板でこの側面が内側に折れるように取りつける。符号１３は側面に取り付けた網を内側に誘導するための部品、符号１４は符号１１の側面金具が下がらないための支柱に固定したリング部品符号１１の側面金具は無くてもいいが取り付けた方が箱を広げた時ナイロン網だけ付けるよりも箱全体が安定して使いやすい。
【０００１４】  図８は側面に符号１５の網を張った図。
【０００１５】  図９は側面の詳細な図で符号１６は、図１０の符号１６の部分でこの輪の大きさ加減が前面を後ろに押してたたむときに抵抗が少ないため、取り付けるゴミ箱設置場所の地面が少し位、水平でなくても設置可能にする事ができる。
【０００１６】  図１０の符号１７は側面部品の金属平板の上面図、符号１８は平板部品正面図である。これらの部品を組み合わせゴミ箱側面符号１１を作る。
【図面の簡単な説明】
【０００１７】
【図１】  ゴミ箱でゴミ箱を使用時の斜視図。
【図２】  ゴミ箱を折りたたみ途中の斜視図。
【図３】  本考案のごみ箱が折りたたまれた状態の正面図。
【図４】  ゴミ箱の後面からみたパイプの骨格図である。
【図５】  フタの動作図。
【図６】  ゴミ箱前面とフタの取り付けＳ字金具の詳細図。
【図７】  ゴミ箱側面の骨格図。
【図８】  ゴミ箱側面に網を取り付けた図である。
【図９】  ゴミ箱前面と後面をつなぎ側面に張られた網をゴミ箱内側に折りたたむ側面金具である。
【図１０】  図９の金具部品の一部品の詳細図である。
【符号の説明】
【０００１８】１、  ゴミ箱のフタ
２、  ゴミ箱の前面
３、  ゴミ箱の市中支柱を支える部分のＴ字形の金具
４、  ゴミ箱の側面
５、  ゴミ箱後面のパイプ支柱
６、  ゴミ箱の後面
７、  Ｓ字型金具
８、  フタを止める金具
９、  Ｓ字金具にフタの外枠パイプを通す穴部
１０、前面上部パイプにＳ字部を固定した部分
１１、前面と後面をつなぐ側面金具
１２、側面が内側に折れるための蝶板
１３、側面に張った網を内側に誘導する金具
１４、側面金具が下に落ちないためのリング
１５、側面に張られた網
１６、側面を前面と後面の支柱をつなぐパイプ穴
１７、側面部品金具の上面図
１８、側面部品の正面図
【手続補正書】
【提出日】平成24年7月19日(2012.7.19)
【手続補正１】
【補正対象書類名】実用新案登録請求の範囲
【補正対象項目名】全文
【補正方法】変更
【補正の内容】
【実用新案登録請求の範囲】
【請求項１】
金属パイプからなる骨格部を有する底のない長方体のゴミ箱であって、Ｓ字又はメガネ型に加工した金具によりゴミ箱の前面上部とフタとを２か所繋ぐことでフタ全体が上下に９０度回転してゴミ箱前面に折り重ねられるようにし、また、ゴミ箱の側面には折りためる網が取り付けられている、折りたためる構造のゴミ箱。